(57)【特許請求の範囲】
【請求項１】
基地局より位置登録エリア番号などセル内の全移動機に共通に報知すべき情報を報知すると共に、異なる位置登録エリアへ移動機が移動する毎に、該移動機より送出される位置登録信号に基づいて該移動機が在圏する位置登録エリアを示す位置情報を記憶手段に登録し、移動機への着信時、記憶手段から読み出した位置情報に基づいて該移動機が在圏する位置登録エリア内の複数の基地局から一斉呼出しを行う移動無線通信システムの位置登録方法において、
障害発生後の前記記憶手段の位置情報復旧に際して、該記憶手段に対応する位置登録エリア内の基地局に位置登録要求を発行し、
位置登録要求を受信した基地局より、報知情報に含まれる位置登録タイマー部の値を位置登録実施の要求を意味する値にして該報知情報を送信し、
位置登録タイマー部の値が前記値を有する該報知情報を受信した移動機より位置登録することを特徴とする位置登録方法。
【請求項２】
基地局より位置登録エリア番号などセル内の全移動機に共通に報知すべき情報を報知すると共に、異なる位置登録エリアへ移動機が移動する毎に、該移動機より送出される位置登録信号に基づいて該移動機が在圏する位置登録エリアを示す位置情報を記憶手段に登録し、移動機への着信時、記憶手段から読み出した位置情報に基づいて該移動機が在圏する位置登録エリア内の複数の基地局から一斉呼出しを行う移動無線通信システムの位置登録方法において、
障害発生後の前記記憶手段の位置情報復旧に際して、該記憶手段に対応する位置登録エリア内の基地局に位置登録要求を発行し、
位置登録要求を受信した基地局より、報知情報に含まれる位置登録タイマー部の値を位置登録実施の要求を意味する値にして該報知情報を送信し、
位置登録タイマー部の値が前記値を有する該報知情報を受信した移動機において、該移動機が内部的に保持する移動機特有の番号に基づいて位置登録実施のタイミングを決定し、
該タイミングにおいて移動機より位置登録することを特徴とする位置登録方法。
【請求項３】
基地局より位置登録エリア番号などセル内の全移動機に共通に報知すべき情報を報知すると共に、異なる位置登録エリアへ移動機が移動する毎に、該移動機より送出される位置登録信号に基づいて該移動機が在圏する位置登録エリアを示す位置情報を記憶手段に登録し、移動機への着信時、記憶手段から読み出した位置情報に基づいて該移動機が在圏する位置登録エリア内の複数の基地局から一斉呼出しを行う移動無線通信システムの位置登録方法において、
障害発生後の前記記憶手段の位置情報復旧に際して、該記憶手段に対応する位置登録エリア内の基地局に位置登録要求を発行し、
位置登録要求を受けた複数の基地局は所定時間間隔で順番に、報知情報に含まれる位置登録タイマー部の値を位置登録実施の要求を意味する値にして該報知情報を送信し、
位置登録タイマー部の値が前記値を有する該報知情報を受信した移動機より位置登録することを特徴とする位置登録方法。
【発明の詳細な説明】
【０００１】
【発明の属する技術分野】
本発明は移動無線通信システムの位置登録方法に係わり、特に、移動機の位置情報等を記憶、管理する記憶装置（ホームロケーションレジスタＨＬＲ）が障害などにより該位置情報を消失した場合における位置登録方法に関する。
【０００２】
【従来の技術】
移動無線通信システムにおいて、基地局は位置登録エリア番号などの共通情報をセル内の全移動機に報知し、移動機は該報知情報を参照して異なる位置登録エリアへ移動したか監視し、移動すれば位置登録信号を基地局を介して移動通信交換局に送信する。移動通信交換局は、位置登録信号に基づいて移動機の加入者データや移動機が在圏する位置登録エリアを示す位置情報などを記憶装置（ホームロケーションレジスタＨＬＲ）に登録する。関門交換局は移動機に着信があると、レジスタＨＬＲに記憶されている位置情報を参照して着信移動機が在圏する位置登録エリアに応じた移動通信交換局を求め、該移動通信交換局を介して移動機が在圏する位置登録エリア内の複数の基地局より一斉呼出しを行う。
【０００３】
図１１は移動無線システムの概略構成図であり、移動機ＭＳ1〜ＭＳ6は基地局ＢＳ1〜ＢＳ6との間で双方向の無線通信が可能な端末である。基地局ＢＳ1〜ＢＳ6の各々は夫々を中心とする無線ゾーンＣ1〜Ｃ6内の移動機ＭＳ1〜ＭＳ6と無線通信可能である。基地局ＢＳ1〜ＢＳ3の各無線ゾーンＣ1〜Ｃ3は位置登録エリア（又は一斉呼出しエリア）ＰＲＡ1を構成し、また基地局ＢＳ4〜ＢＳ6の各無線ゾーンＣ3〜Ｃ6は別の位置登録エリア（又は一斉呼出しエリア）ＰＲＡ2を構成している。
移動通信交換局ＭＳＣ1〜ＭＳＣ2は移動通信サービスを提供するための呼接続制御、サービス制御等を実現するための機能をもつ交換局であり、交換局ＭＳＣ1は基地局ＢＳ1〜ＢＳ3と、交換局ＭＳＣ2は基地局ＢＳ4〜ＢＳ6と接続されている。関門移動通信交換局ＧＳは他網から自網内契約加入者への、あるいは自網内ローミング加入者への呼を受ける交換局であり、自網内の移動通信交換局ＭＳＣ1〜ＭＳＣ2と通信回線を介して接続されている。又、関門移動通信交換局ＧＳは位置情報の照会などを行なえるよう制御信号回線を介してホームロケーションレジスタＨＬＲと接続されている。
【０００４】
ホームロケーションレジスタＨＬＲは、位置登録エリアＰＲＡ1，ＰＲＡ2に在圏する移動機ＭＳ1〜ＭＳ6の加入者データや位置情報を格納するデータベースであり、移動通信交換局ＭＳＣ1〜ＭＳＣ2が移動機ＭＳ1〜ＭＳ6からの位置登録信号を受信してレジスタＨＬＲの記憶内容を更新、登録する。
移動機ＭＳ1に着信した時、レジスタＨＬＲを参照することにより該着信移動機が在圏する位置登録エリアＰＲＡ1内の全基地局ＢＳ1〜ＢＳ3から一斉呼出しが行われる。ＨＬＲ′はホームロケーションレジスタＨＬＲの内容をバックアップするメモリである。
【０００５】
図１２は移動無線通信における位置登録及び着信手順の概略説明図である。
基地局ＢＳ1〜ＢＳ3は移動機ＭＳ1〜ＭＳ3に対して位置登録のための情報等を報知情報により通知している。この状態で位置登録エリアＰＲＡ1に在圏していた移動機ＭＳ3（図１１参照）が、図１３に示すように位置登録エリアＰＲＡ2へ移動すると、移動機ＭＳ3は基地局ＢＳ4〜ＢＳ6からの報知情報により位置登録エリアの変更を検出する。これにより、移動局ＭＳ3は位置登録信号を送出する。この位置登録信号は基地局ＢＳ4〜ＢＳ6のいずれかを介して移動通信交換局ＭＳＣ2に送られる。移動通信交換局ＭＳＣ2は、位置登録信号を受信すれば認証手順を実行する。認証結果が正常であれば、レジスタＨＬＲに位置登録を指示して自交換局へのルーチング番号及び位置情報の登録を行ない、又、移動機ＭＳに位置登録受付信号を返送する。レジスタＨＬＲは交換局ＭＳＣ2から位置登録が指示されると、ルーチング番号と移動機ＭＳ3が在圏する位置登録エリアを示す位置情報を登録する。以上により、移動機が別の位置登録エリアへ移動したときの、位置登録が終了する。
【０００６】
一方、移動機ＭＳ3に着信すれば、関門移動通信交換機ＧＳは受信ダイヤル番号より移動機ＭＳ3の加入者番号（移動機番号）を抽出し、該加入者番号に基づいてレジスタＨＬＲから移動機ＭＳ3の位置情報（ルーチング番号）を読み出し、該ルーチング番号で示される移動通信交換局ＭＳＣ2へ回線設定を行う。これにより、移動通信交換局ＭＳＣ2は位置登録エリアＰＲＡ2内の全基地局ＢＳ4〜ＢＳ6に指示して一斉呼出しを行わせる。一斉呼出しにより、移動機ＭＳ3は応答信号を基地局を介して移動通信交換局ＭＳＣ2へ送信する。この応答信号により、移動通信交換局ＭＳＣは周知の手順で空き通信チャネルＴＣＨを設定し、回線接続を行う。
以上により、移動機がどこに移動しても、移動機の在圏する位置登録エリアの位置情報がホームロケーションレジスタＨＬＲに更新登録されるため、移動機への他網の発信者からの着信が可能になる。
【０００７】
【発明が解決しようとする課題】
ところで、ホームロケーションレジスタＨＬＲの故障など何らかの原因でレジスタＨＬＲの再開が行われると、記憶内容がすべてリセットされてしまう。このため従来は、保守局がある時間単位でレジスタＨＬＲの内容をバックアップメモリＨＬＲ′にバックアップし、このバックアップ情報を用いてホームロケーションレジスタＨＬＲに位置情報を復元している。しかし、復元される位置情報は復元時刻（現時刻）より過去の位置情報であるため、現時刻の移動機の実際の位置に応じた正しい位置情報が復元されない。このようにレジスタＨＬＲに復元された移動機の位置情報とＨＬＲ再開後の移動機の実際の位置情報とが一致しなくなると、移動機へ着信できなくなる。従来方式において、レジスタＨＬＲの登録位置情報を正しくするは、▲１▼移動機からの位置登録発信を待つか、▲２▼位置登録エリアの変更による移動機からの位置登録信号を待つか、▲３▼エアプロトコル上、位置登録要求用の特別なメッセージを用意することにより、移動機に位置登録を実施させるかである。
上記▲１▼，▲２▼の方法では、位置情報を速やかにホームロケーションレジスタＨＬＲに復旧できない問題がある。
上記▲３▼の方法では、特別なメッセージをエア上に持たせる必要があるため、制御が複雑になる問題がある。
以上より本発明の目的は、障害等によりホームロケーションレジスタＨＬＲから移動機の位置情報が消失した時、位置情報を速やかに、かつ、正確にレジスタＨＬＲに登録して復旧することである。
又、本発明の別の目的は、ＨＬＲ復旧処理時における位置登録信号の増大に起因する異常トラヒックの発生を防止し、システムリソースの有効利用を図れるようにすることである。
【０００８】
【課題を解決するための手段】
上記課題は本発明によれば、ホームロケーションレジスタＨＬＲの位置情報復旧に際して、該ホームロケーションレジスタＨＬＲに対応する位置登録エリア内の基地局に位置登録要求を発行し、該位置登録要求を受信した基地局は、報知情報に含まれる位置登録タイマー部の値を位置登録実施の要求を意味する値にして該報知情報を送信し、位置登録タイマー部の値が前記値を有する該報知情報を受信した移動機より位置登録する移動無線通信システムの位置登録方法により達成される。すなわち、移動機に位置登録するように指示するから位置情報を速やかに、かつ、正確にレジスタＨＬＲに復旧することができる。又、既存の報知情報に含まれる周期的位置登録情報部に位置登録実施要求情報を追加するだけでよいため、位置登録指示のための新たなメッセージを作成して送受信する必要がなく、制御が容易であり、しかも、簡単に実施することができる。
【０００９】
上記課題は本発明によれば、ホームロケーションレジスタＨＬＲの位置情報復旧に際して、該ホームロケーションレジスタＨＬＲに対応する位置登録エリア内の基地局に位置登録要求を発行し、該位置登録要求を受信した基地局は報知情報に含まれる位置登録タイマー部の値を位置登録実施の要求を意味する値にして該報知情報を送信し、位置登録タイマー部の値が前記値を有する該報知情報を受信した移動機は、該移動機が内部的に保持する移動機特有の番号（例えば移動機番号）に基づいて位置登録実施のタイミングを決定し、該タイミングにおいて位置登録する位置登録方法により達成される。すなわち、移動機は異なったタイミングで位置登録するから、ＨＬＲ復旧処理時における異常トラヒックの発生を防止し、システムリソースの有効利用を図ることができる。
【００１０】
上記課題は本発明によれば、ホームロケーションレジスタＨＬＲの位置情報復旧に際して、該ホームロケーションレジスタＨＬＲに対応する位置登録エリア内の基地局に位置登録要求を発行し、位置登録要求を受けた複数の基地局は所定時間間隔で順番に、報知情報に含まれる位置登録タイマー部の値を位置登録実施の要求を意味する値にして該報知情報を送信し、位置登録タイマー部の値が前記値を有する該報知情報を受信した移動機より位置登録する位置登録方法により達成される。この場合、位置登録実施要求情報を送信する基地局の切替えは以下のように行う。すなわち、移動通信交換局が所定時間間隔で順番に基地局に位置登録要求を発行することにより、あるいは、移動通信交換局が基地局から位置登録要求応答を受信したとき、次の基地局に位置登録要求を発行することにより行う。以上のようにすれば、移動機を多数のグループに分け、グループ順に重複しないように移動機の位置登録を行え、ＨＬＲ復旧処理時における異常トラヒックの発生を防止し、システムリソースの有効利用を図ることができる。
又、報知情報に位置登録実施要求情報を追加して送信する基地局の切替えは以下のよう行うこともできる。すなわち、複数の移動通信交換局を介して複数の基地局に位置登録要求を発行する場合、所定時間間隔で順番に移動通信交換局に位置登録要求を発行し、位置登録要求を受けた移動通信交換局は所定時間間隔で順番に基地局に位置登録要求を発行することにより行う。このようにすれば、移動機をより多くのグループに分けることができるため、ＨＬＲ復旧処理時における異常トラヒックの発生を防止し、システムリソースの有効利用を図ることができる。
【００１１】
【発明の実施の形態】
（ａ）移動無線システムの構成
図１は本発明の移動無線システムの構成図であり、MS-A〜MS-Eは移動機、ＢＳＳ1〜ＢＳＳ6は基地局、Ｃ1〜Ｃ6は基地局ＢＳＳ1〜ＢＳＳ6の無線ゾーン、ＰＲＡ1は無線ゾーンＣ1〜Ｃ3により構成される位置登録エリア（一斉呼出しエリア）、ＰＲＡ2は無線ゾーンＣ3〜Ｃ6により構成される位置登録エリア、ＭＳＣ1〜ＭＳＣ2は呼接続制御、サービス制御等を実現する移動通信交換局であり、移動通信交換局ＭＳＣ1は基地局ＢＳＳ1〜ＢＳＳ3と接続され、移動通信交換局ＭＳＣ2は基地局ＢＳＳ4〜ＢＳＳ6と接続されている。ＨＬＲは配下の位置登録エリアＰＲＡ1〜ＰＲＡ2に在圏する移動機の加入者情報や位置情報を記憶するホームロケーションレジスタ、ＧＳは関門移動通信交換局であり、他網から自網内契約加入者への、あるいは自網内ローミング加入者への呼を受ける交換局で、自網内の移動通信交換局ＭＳＣ1〜ＭＳＣ2と通信回線を介して接続されている。又、関門移動通信交換局ＧＳは位置情報の照会などを行なえるよう制御信号回線を介してホームロケーションレジスタＨＬＲと接続されている。
【００１２】
（ｂ）第１実施例におけるＨＬＲ再開時の位置登録
図２は第１実施例におけるＨＬＲ再開時の位置登録手順である。
ホームロケーションレジスタＨＬＲの管理部は障害等により、ＨＬＲの再開処理を実施し、再開処理終了後に配下の全移動通信交換局ＭＳＣ1〜ＭＳＣ2に位置登録要求メッセージを送信する。
移動通信交換局ＭＳＣ1〜ＭＳＣ2は位置登録要求メッセージを受信すると、それぞれ配下の基地局ＢＳＳ1〜ＢＳＳ3、ＢＳＳ4〜ＢＳＳ6に対し位置登録要求メッセージを送信する。
位置登録要求メッセージを受信した基地局ＢＳＳ1〜ＢＳＳ3、ＢＳＳ4〜ＢＳＳ6は、既存機能の周期的位置登録情報を現在の設定から新規に設けた位置登録実施要求に一定時間変更する。すなわち、各基地局ＢＳＳ1〜ＢＳＳ6は図３に示す報知情報の位置登録タイマー部に位置登録実施要求情報を挿入して該報知情報を送信する。
【００１３】
位置登録タイマー部は８ビットで構成され、下位３ビットに初期タイマー値ＴＭ１が、上位５ビットに繰り返し周期タイマー値ＴＭ２がそれぞれ設定されるようになっている。初期タイマー値ＴＭ１は移動機の電源投入後に網に対して最初に周期的位置登録を行うまでの時間を指定するもの、繰り返しタイマー値ＴＭ２は最初の周期的位置登録を行った後に周期的に位置登録を行うための時間間隔を表すもので、これらが同時にオール１になることはないとする。そこで、位置登録タイマー部の８ビットオール１を位置登録実施要求オン（ＬＲ＝ＯＮ）とし、それ以外を本来のタイマー値を示すもので位置登録実施要求オフ（ＬＲ＝ＯＦＦ）とする。
基地局ＢＳＳ1〜ＢＳＳ6から位置登録実施要求情報（ＬＲ＝ＯＮ）を受信した移動機MS-A〜MS-Eは位置登録信号を送信する。これにより、通常の位置登録シーケンスが行われレジスタＨＬＲに移動機の位置情報が登録される。
【００１４】
以後、設定時間が経過するまで基地局ＢＳＳ1〜ＢＳＳ6は位置登録実施要求情報（ＬＲ＝ＯＮ）を送信しているから、位置登録エリアＰＲＡ1、ＰＲＡ2に在圏する全ての移動機はＨＬＲに位置登録される。そして、設定時間が経過すれば、基地局ＢＳＳ1〜ＢＳＳ6は位置登録タイマー部の値を元の値に戻す（位置登録実施要求オフ（ＬＲ＝ＯＦＦ））。以上により、ホームロケーションレジスタＨＬＲに、位置情報を速やかに、かつ、正確に復旧することができる。
ところで、第１実施例では移動機の位置登録が集中して異常トラヒック状態になる恐れがある。そこで、以下の実施例では移動機をグループ化し、順番に位置登録させることにより移動機の位置登録を分散し、異常トラヒックの発生を防止する。
【００１５】
（ｃ）第２実施例におけるＨＬＲ再開時の位置登録
図４は第２実施例におけるＨＬＲ再開時の位置登録手順である。
ホームロケーションレジスタＨＬＲの管理部は障害等により、ＨＬＲの再開処理を実施し、再開処理終了後に配下の全移動通信交換局ＭＳＣ1〜ＭＳＣ2に位置登録要求メッセージを送信する。
移動通信交換局ＭＳＣ1〜ＭＳＣ2は位置登録要求メッセージを受信すると、それぞれ配下の基地局ＢＳＳ1〜ＢＳＳ3、ＢＳＳ4〜ＢＳＳ6に対し位置登録要求メッセージを送信する。
位置登録要求メッセージを受信した基地局ＢＳＳ1〜ＢＳＳ3、ＢＳＳ4〜ＢＳＳ6は、報知情報の位置登録タイマー部に位置登録実施要求情報（ＬＲ＝ＯＮ）を挿入して該報知情報を送信する。
【００１６】
基地局ＢＳＳ1〜ＢＳＳ6から位置登録実施要求情報（ＬＲ＝ＯＮ）を受信した移動機MS-A〜MS-Eはそれぞれ、内部的に保持する移動機特有の番号（例えば移動機番号）を用いて位置登録実施のタイミングＴ，ｔ・・・（Ｔ＜ｔ）を決定する。移動機MS-Bは第１のタイミングＴにおいて位置登録信号を送信し、通常の位置登録シーケンスによりレジスタＨＬＲに移動機MS-Bの位置情報を登録する。ついで、移動機MS-Aは第２のタイミングｔにおいて位置登録信号を送信し、通常の位置登録シーケンスによりレジスタＨＬＲに移動機MS-Aの位置情報を登録する。以後、同様に位置登録エリアＰＲＡ1〜ＰＲＡ2に在圏する全ての移動機が位置登録を行う。
【００１７】
図５は移動機による位置登録のタイミング決定処理フローである。
位置登録実施要求情報（ＬＲ＝ＯＮ）を受信すると（ステップ１０１）、自移動機番号の下１桁数値が０〜９のいずれであるかチェックし、下１桁数値がｉ（ｉ＝０〜９）であれば、位置登録のタイミング時刻Ｔを現時刻からｉ秒後とする（ステップ１０２）。ついで、タイマーを起動し（ステップ１０３）、タイマー時刻が位置登録のタイミング時刻Ｔになれば（ステップ１０４）、位置登録を行う（ステップ１０５）。
以上のようにすれば、移動機を多数のグループ（図５の実施例では１０グループ）に分け、グループ順に重複しないように移動機の位置登録を行うため、ＨＬＲ復旧処理時における異常トラヒックの発生を防止し、システムリソースの有効利用を図ることができる。
【００１８】
（ｄ）第３実施例におけるＨＬＲ再開時の位置登録
図６は第３実施例におけるＨＬＲ再開時の位置登録手順である。
ホームロケーションレジスタＨＬＲの管理部は障害等により、ＨＬＲの再開処理を実施し、再開処理終了後に配下の全移動通信交換局ＭＳＣ1〜ＭＳＣ2に位置登録要求メッセージを送信する。
移動通信交換局ＭＳＣ1，ＭＳＣ2は位置登録要求メッセージを受信すると、それぞれ配下の基地局ＢＳＳ1〜ＢＳＳ3，ＢＳＳ4〜ＢＳＳ6に対し位置登録要求メッセージを送信する。
基地局ＢＳＳ1〜ＢＳＳ3は異なる周波数、タイムスロットで、それぞれ無線ゾーンＣ1〜Ｃ3内の移動機と通信を行う。そこで、位置登録の分散化を図るために、位置登録エリアＰＲＡ1を無線ゾーンＣ1〜Ｃ3毎に区分し（セクタ１〜セクタ３）、セクタ順に移動機より位置登録させる。すなわち、位置登録要求メッセージを受信すれば、基地局ＢＳＳ1〜ＢＳＳ3は相互間通信により位置登録実施要求情報（ＬＲ＝ＯＮ）を報知情報に挿入して送信する基地局の順序を決定する。なお、この順序は予め設定しておくこともできる。
【００１９】
ついで、第１番目の基地局ＢＳＳ3は所定時間Ｔ（例えば１０秒）の間、報知情報の位置登録タイマー部に位置登録実施要求オン（ＬＲ＝ＯＮ）を挿入して送信する。セクタ３（無線ゾーンＣ3）に在圏する移動機ＭＳは位置登録実施要求情報（ＬＲ＝ＯＮ）を受信すれば位置登録信号を送信する。これにより、通常の位置登録シーケンスが行われ、ホームロケーションレジスタＨＬＲに移動機の位置情報が登録される。以後、設定時間Ｔが経過するまで基地局ＢＳＳ3は位置登録実施要求情報（ＬＲ＝ＯＮ）を送信するから、セクタ３に在圏する全ての移動機はＨＬＲに位置登録する。そして、設定時間Ｔが経過すれば、基地局ＢＳＳ3は報知情報の位置登録タイマー部の値を元の値に戻す（位置登録実施要求オフＬＲ＝ＯＦＦ）。
【００２０】
しかる後、第２番目の基地局ＢＳＳ2は所定時間Ｔの間、報知情報の位置登録タイマー部に位置登録実施要求情報（ＬＲ＝ＯＮ）を挿入して送信する。セクタ２（無線ゾーンＣ2）に在圏する移動機ＭＳは位置登録実施要求情報（ＬＲ＝ＯＮ）を受信すれば位置登録信号を送信する。これにより、通常の位置登録シーケンスが行われ、ホームロケーションレジスタＨＬＲに移動機の位置情報が登録される。以後、設定時間Ｔが経過するまで基地局ＢＳＳ2は位置登録実施要求情報（ＬＲ＝ＯＮ）を送信するから、セクタ２に在圏する全ての移動機はＨＬＲに位置登録する。そして、設定時間Ｔが経過すれば、基地局ＢＳＳ2は報知情報の位置登録タイマー部の値を元の値に戻す（位置登録実施要求オフＬＲ＝ＯＦＦ）。以後、同様に第３番目の基地局ＢＳＳ1は所定時間Ｔの間、報知情報の位置登録タイマー部に位置登録実施要求オン（ＬＲ＝ＯＮ）を挿入して送信し、セクタ１に在圏する全ての移動機はＨＬＲに位置登録する。
以上と並行して、基地局ＢＳＳ4〜ＢＳＳ6も同様に動作し、位置登録エリアＰＲＡ2に在圏する移動機の位置情報がホームロケーションレジスタＨＬＲに登録される。
以上のようにすれば、移動機を基地局数に等しい数のグループに分け、グループ順に重複しないように移動機の位置登録を行うため、ＨＬＲ復旧処理時における異常トラヒックの発生を防止し、システムリソースの有効利用を図ることができる。
【００２１】
（ｅ）第４実施例におけるＨＬＲ再開時の位置登録
図７は第４実施例におけるＨＬＲ再開時の位置登録手順である。この第４実施例では、１つの移動通信交換局ＭＳＣ1（ＭＳＣ2）を介して複数の基地局ＢＳＳ1〜ＢＳＳ3（ＢＳＳ4〜ＢＳＳ6）に位置登録要求を発行する場合、移動通信交換局ＭＳＣ1（ＭＳＣ2）は所定時間Ｔの間隔で順番に基地局ＢＳＳ1〜ＢＳＳ3（ＢＳＳ4〜ＢＳＳ6）に位置登録要求を発行し、これにより、移動機からの位置登録を分散する。
ホームロケーションレジスタＨＬＲの管理部は障害等により、ＨＬＲの再開処理を実施し、再開処理終了後に配下の全移動通信交換局ＭＳＣ1〜ＭＳＣ2に位置登録要求メッセージを送信する。
移動通信交換局ＭＳＣ1，ＭＳＣ2は位置登録要求メッセージを受信すると、それぞれ予め定められている順序で配下の基地局ＢＳＳ1〜ＢＳＳ3，ＢＳＳ4〜ＢＳＳ6に対し順番に位置登録要求メッセージを送信する。
【００２２】
例えば、移動通信交換局ＭＳＣ1は最初の基地局ＢＳＳ3に位置登録要求メッセージを送信する。位置登録要求メッセージを受信した最初の基地局ＢＳＳ3は所定時間Ｔ（例えば１０秒）の間、報知情報の位置登録タイマー部に位置登録実施要求オン（ＬＲ＝ＯＮ）を挿入して送信する。無線ゾーンＣ3に在圏する移動機ＭＳは位置登録実施要求オン（ＬＲ＝ＯＮ）を受信すれば位置登録信号を送信する。これにより、通常の位置登録シーケンスが行われ、ホームロケーションレジスタＨＬＲに移動機の位置情報が登録される。以後、設定時間Ｔが経過するまで基地局ＢＳＳ3は位置登録実施要求オン（ＬＲ＝ＯＮ）を送信するから、無線ゾーンＣ3に在圏する全ての移動機はＨＬＲに位置登録する。そして、設定時間Ｔが経過すれば、基地局ＢＳＳ3は報知情報の位置登録タイマー部の値を元の値に戻す（位置登録実施要求オフＬＲ＝ＯＦＦ）。
【００２３】
ついで、移動通信交換局ＭＳＣ1は第２番目の基地局ＢＳＳ2に位置登録要求メッセージを送信する。位置登録要求メッセージを受信した第２番目の基地局ＢＳＳ2は所定時間Ｔの間、報知情報の位置登録タイマー部に位置登録実施要求オン（ＬＲ＝ＯＮ）を挿入して送信する。無線ゾーンＣ2に在圏する移動機ＭＳは位置登録実施要求オン（ＬＲ＝ＯＮ）を受信すれば位置登録信号を送信する。これにより、通常の位置登録シーケンスが行われ、ホームロケーションレジスタＨＬＲに移動機の位置情報が登録される。以後、設定時間Ｔが経過するまで基地局ＢＳＳ2は位置登録実施要求オン（ＬＲ＝ＯＮ）を送信するから、無線ゾーンＣ2に在圏する全ての移動機はＨＬＲに位置登録する。そして、設定時間Ｔが経過すれば、基地局ＢＳＳ2は報知情報の位置登録タイマー部の値を元の値に戻す（位置登録実施要求オフＬＲ＝ＯＦＦ）。
【００２４】
以後、同様に移動通信交換局ＭＳＣ1は第３番目の基地局ＢＳＳ1に位置登録要求メッセージを送信し、第３番目の基地局ＢＳＳ1は所定時間Ｔの間、報知情報の位置登録タイマー部に位置登録実施要求情報（ＬＲ＝ＯＮ）を挿入して送信し、セクタ１に在圏する全ての移動機はＨＬＲに位置登録する。
以上と並行して、基地局ＢＳＳ4〜ＢＳＳ6も無線通信交換局ＭＳＣ2からの位置登録メッセージを受信して同様に動作し、位置登録エリアＰＲＡ2に在圏する移動機の位置情報がホームロケーションレジスタＨＬＲに登録される。
以上のようにすれば、移動機を基地局数に等しい数のグループに分け、グループ順に重複しないように移動機の位置登録を行うため、ＨＬＲ復旧処理時における異常トラヒックの発生を防止し、システムリソースの有効利用を図ることができる。
【００２５】
（ｆ）第５実施例におけるＨＬＲ再開時の位置登録
図８は第５実施例におけるＨＬＲ再開時の位置登録手順である。
この第５実施例では、複数の移動通信交換局ＭＳＣ1〜ＭＳＣ3のそれぞれを介して複数の基地局BSS-11〜BSS-12，BSS-21〜BSS-22，BSS-31〜BSS-32に位置登録要求を発行する場合、ホームロケーションレジスタＨＬＲの管理部は、再開処理終了後に所定時間Ｔ間隔で順番に配下の移動通信交換局ＭＳＣ1〜ＭＳＣ3に位置登録要求を発行し、位置登録要求を受けた移動通信交換局ＭＳＣ1〜ＭＳＣ3はそれぞれ所定時間ｔ間隔で順番に対応する基地局BSS-11〜BSS-12，BSS-21〜BSS-22，BSS-31〜BSS-32に位置登録要求を発行する
【００２６】
例えば、最初に位置登録要求メッセージを受信した移動通信交換局ＭＳＣ1は最初の基地局BSS-11に位置登録要求メッセージを送信する。位置登録要求メッセージを受信した最初の基地局BSS-11は所定時間ｔの間、報知情報の位置登録タイマー部に位置登録実施要求オン（ＬＲ＝ＯＮ）を挿入して送信する。基地局BSS-11の無線ゾーンに在圏する移動機ＭＳは位置登録実施要求オン（ＬＲ＝ＯＮ）を受信して位置登録信号を送信する。これにより、通常の位置登録シーケンスが行われ、ホームロケーションレジスタＨＬＲに移動機の位置情報が登録される。以後、設定時間ｔが経過するまで基地局BSS-11は位置登録実施要求オン（ＬＲ＝ＯＮ）を送信するから、基地局BSS-11の無線ゾーンに在圏する全ての移動機はＨＬＲに位置登録する。そして、設定時間Ｔが経過すれば、基地局BSS-11は報知情報の位置登録タイマー部の値を元の値に戻す（位置登録実施要求オフＬＲ＝ＯＦＦ）。
【００２７】
ついで、移動通信交換局ＭＳＣ1は次の基地局BSS-12に位置登録要求メッセージを送信する。位置登録要求メッセージを受信した第２番目の基地局BSS-12は所定時間tの間、報知情報の位置登録タイマー部に位置登録実施要求オン（ＬＲ＝ＯＮ）を挿入して送信する。基地局BSS-12の無線ゾーンに在圏する移動機ＭＳは位置登録実施要求オン（ＬＲ＝ＯＮ）を受信して位置登録信号を送信する。これにより、通常の位置登録シーケンスが行われ、ホームロケーションレジスタＨＬＲに移動機の位置情報が登録される。以後、設定時間ｔが経過するまで基地局BSS-12は位置登録実施要求オン（ＬＲ＝ＯＮ）を送信するから、基地局BSS-12の無線ゾーンに在圏する全ての移動機はＨＬＲに位置登録する。そして、設定時間ｔが経過すれば、基地局BSS-12は報知情報の位置登録タイマー部の値を元の値に戻す（位置登録実施要求オフＬＲ＝ＯＦＦ）。以後、同様に移動通信交換局ＭＳＣ1は第３番目，第４番目・・・の基地局に位置登録要求メッセージを送信し、移動機の位置情報をＨＬＲに登録する。
【００２８】
時間Ｔ経過すれば、ホームロケーションレジスタＨＬＲの管理部は、次の移動通信交換局ＭＳＣ2に位置登録要求を発行し、位置登録要求を受けた移動通信交換局ＭＳＣ2は所定時間ｔ間隔で順番に対応する基地局BSS-21，BSS-22，・・・に位置登録要求を発行する。位置登録要求を受けた基地局は位置登録実施要求オンを送信する。以上により、移動機の位置情報はホームロケーションレジスタＨＬＲに登録される。以後、同様に、ホームロケーションレジスタＨＬＲの管理部は、時間Ｔ経過する毎に移動通信交換局ＭＳＣ3に位置登録要求を発行し、位置登録要求を受けた移動通信交換局ＭＳＣ3は所定時間ｔ間隔で順番に対応する基地局BSS-31，BSS-32，・・・に位置登録要求を発行し、移動機の位置情報をホームロケーションレジスタＨＬＲに登録する。
この第５実施例によれば、移動機をより多くのグループに分けることができるため、ＨＬＲ復旧処理時における異常トラヒックの発生を防止し、システムリソースの有効利用を図ることができる。
【００２９】
（ｇ）第６実施例におけるＨＬＲ再開時の位置登録
図９は第６実施例におけるＨＬＲ再開時の位置登録手順である。
この第６実施例では、ホームロケーションレジスタＨＬＲの管理部は位置登録要求を受信して次の移動通信交換局に位置登録要求を発行する。又、各移動通信交換局ＭＳＣ1〜ＭＳＣ3は配下の基地局BSS-1〜BSS-3に位置登録要求メッセージを送信し、これらより位置登録要求応答を受信したとき、ホームロケーションレジスタＨＬＲの管理部に位置登録要求応答を送信する。
【００３０】
図１０は第６実施例の変形例であり、複数の移動通信交換局ＭＳＣ1〜ＭＳＣ3のそれぞれを介して複数の基地局BSS-11〜BSS-12，BSS-21〜BSS-22，BSS-31〜BSS-32に位置登録要求を発行する場合、ホームロケーションレジスタＨＬＲの管理部は、再開処理終了後に順番に配下の移動通信交換局ＭＳＣ1〜ＭＳＣ3に位置登録要求を発行し、位置登録要求を受けた移動通信交換局ＭＳＣ1〜ＭＳＣ3はそれぞれ順番に配下の基地局BSS-11〜BSS-12，BSS-21〜BSS-22，BSS-31〜BSS-32に位置登録要求を発行する。この場合、ホームロケーションレジスタＨＬＲの管理部は移動通信交換局より位置登録要求応答を受信したとき次の移動通信交換局に位置登録要求メッセージを送信する。又、各移動通信交換局ＭＳＣ1〜ＭＳＣ3は基地局より位置登録要求応答を受信したとき次の基地局に位置登録要求メッセージを送信し、次の基地局がなければホームロケーションレジスタＨＬＲの管理部に位置登録要求応答を送信する。
【００３１】
以上のようにすれば、位置登録要求メッセージを送信する上位ユニットは下位ユニットの切替え時間管理を行う必要がなく位置登録制御を簡単にすることができる。又、図１０の変形例のようにすれば、移動機をより多くのグループに分けることができるため、ＨＬＲ復旧処理時における異常トラヒックの発生を防止し、システムリソースの有効利用を図ることができる。
以上の実施例では、報知情報の位置登録タイマー部（図３参照）に位置登録実施要求情報（ＬＲ＝ＯＮ）を挿入したが、報知情報に位置登録実施要求情報部を新たに加えて該情報部に位置登録実施要求情報を挿入するように構成することもできる。
以上、本発明を実施例により説明したが、本発明は請求の範囲に記載した本発明の主旨に従い種々の変形が可能であり、本発明はこれらを排除するものではない。
【００３２】
【発明の効果】
以上本発明によれば、移動機に位置登録するように指示するため、消失した位置情報を速やかに、かつ、正確に記憶手段（ホームロケーションレジスタＨＬＲ）に復旧することができる。又、既存の報知情報に含まれる周期的位置登録情報部に位置登録実施要求情報を追加するだけでよいため、位置登録指示のための新たなメッセージを作成して送受信する必要がなく、制御が容易であり、しかも、ハードウェアの変更なしに簡単に実施することができる。
本発明によれば、記憶手段（レジスタＨＬＲ）の位置情報復旧に際して、対応する位置登録エリア内の基地局に位置登録要求を発行し、基地局は報知情報に位置登録実施要求情報を追加して送信し、位置登録実施要求を受信した移動機は内部的に保持している移動機特有の番号（例えば移動機番号）に基づいて位置登録実施のタイミングを決定し、該タイミングにおいて移動機より位置登録するようにしたから、移動機の位置登録のタイミングを分散でき、ＨＬＲ復旧処理時における異常トラヒックの発生を防止し、システムリソースの有効利用を図ることができる。
【００３３】
本発明によれば、記憶手段（レジスタＨＬＲ）の位置情報復旧に際して、対応する位置登録エリア内の複数の基地局に位置登録要求を発行し、各基地局より所定時間間隔で順番に位置登録実施要求情報を送信し、該位置登録実施要求を受信した移動機より位置登録するようにしたから、移動機を基地局数と等しい数のグループに分け、グループ順に重複しないように移動機の位置登録を行うことができ、このため、ＨＬＲ復旧処理時における異常トラヒックの発生を防止し、システムリソースの有効利用を図ることができる。
本発明によれば、複数の移動通信交換局を介して複数の基地局に位置登録要求を発行する場合、所定時間間隔で順番に移動通信交換局に位置登録要求を発行し、位置登録要求を受けた移動通信交換局は所定時間間隔で順番に基地局に位置登録要求を発行するようにしたから、移動機をより多くのグループに分けることができ、ＨＬＲ復旧処理時における異常トラヒックの発生を防止し、システムリソースの有効利用を図ることができる。
【００３４】
本発明によれば、位置登録要求を移動通信交換局を介して対応する位置登録エリア内の複数の基地局に発行する場合、該移動通信交換局は基地局から位置登録要求応答を受信したとき、次の基地局に位置登録要求を発行するようにしたから、位置登録要求メッセージを送信する上位ユニットは下位ユニット切替えの時間管理を行う必要がなく位置登録制御を簡単にできる。
【図面の簡単な説明】
【図１】本発明を説明するための移動無線システムの構成図である。
【図２】第１実施例におけるＨＬＲ再開時の位置登録手順である。
【図３】位置登録実施要求情報の説明図である。
【図４】第２実施例におけるＨＬＲ再開時の位置登録手順である。
【図５】位置登録実施タイミング決定処理フローである。
【図６】第３実施例におけるＨＬＲ再開時の位置登録手順である。
【図７】第４実施例におけるＨＬＲ再開時の位置登録手順である。
【図８】第５実施例におけるＨＬＲ再開時の位置登録手順である。
【図９】第６実施例におけるＨＬＲ再開時の位置登録手順である。
【図１０】第６実施例の変形例である。
【図１１】移動無線システムの概略構成図である。
【図１２】位置登録及び着信手順説明図である。
【図１３】移動により位置登録エリアが変化した場合の位置登録説明図である。
【符号の説明】
MS-A〜MS-E・・・移動機
ＢＳＳ1〜ＢＳＳ6・・・基地局
Ｃ1〜Ｃ6・・・無線ゾーン
ＰＲＡ1，ＰＲＡ2・・・位置登録エリア
ＭＳＣ1〜ＭＳＣ2・・・移動通信交換局
ＨＬＲ・・・ホームロケーションレジスタ
ＧＳ・・・関門移動通信交換局
【図１】
0003971012.tif 000002
【図２】
0003971012.tif 000003
【図３】
0003971012.tif 000004
【図４】
0003971012.tif 000005
【図５】
0003971012.tif 000006
【図６】
0003971012.tif 000007
【図７】
0003971012.tif 000008
【図８】
0003971012.tif 000009
【図９】
0003971012.tif 000010
【図１０】
0003971012.tif 000011
【図１１】
0003971012.tif 000012
【図１２】
0003971012.tif 000013
【図１３】
0003971012.tif 000014